【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
コンピューティング・デバイスが、通信ネットワークに送信されたデータのデフォルトのネットワーク・リソースによるインターセプトを検出する工程と、
前記コンピューティング・デバイスが、検出された前記データのインターセプトに応答して、前記通信ネットワークが前記コンピューティング・デバイスのアプリケーションに関連付けられている特定のドメインによって管理されていることを決定する工程と、
前記コンピューティング・デバイスが、前記通信ネットワークが前記コンピューティング・デバイスのアプリケーションに関連付けられている前記特定のドメインによって管理されているという前記決定に応答して、前記特定のドメインのネットワーク・リソースを識別する、前記通信ネットワークへのアクセスを求める要求を自動的に生成する工程であって、前記特定のドメインのネットワーク・リソースは、前記通信ネットワークの前記特定のドメインに対してユーザを認証するように構成される、工程と、
前記コンピューティング・デバイスが、前記要求を、前記デフォルトのネットワーク・リソースから前記特定のドメインのネットワーク・リソースにリダイレクトする工程と、
を備える方法。
【請求項２】
前記コンピューティング・デバイスは、ユーザのクライアント・デバイスであり、
前記デフォルトのネットワーク・リソースは、認証サーバを含み、
前記特定のドメインのネットワーク・リソースは、ソーシャル・ネットワーキング・システムの１以上のサーバ・コンピューティング・デバイスを含む、請求項１に記載の方法。
【請求項３】
前記要求をリダイレクトする工程が、前記通信ネットワークのルータによるユーザのキャプティブ・ネットワーク・サポートをバイパスする、請求項１に記載の方法。
【請求項４】
前記ルータは、Ｗｉ−Ｆｉアクセス・ポイントである、請求項３に記載の方法。
【請求項５】
前記ルータに関連付けられている地理的ロケーションにおいてユーザを自動的にチェックインさせる工程をさらに備える、請求項３に記載の方法。
【請求項６】
前記通信ネットワークは、インターネットであり、
前記特定のドメインは、前記インターネットのセカンド・レベル・ドメイン（ＳＬＤ）である、
請求項１に記載の方法。
【請求項７】
前記ＳＬＤは、ＦＡＣＥＢＯＯＫ（登録商標）である、請求項６に記載の方法。
【請求項８】
インターセプトされた前記データは、前記コンピューティング・デバイスのアプリケーションと前記デフォルトのネットワーク・リソースとの間の対話に対応する、請求項１に記載の方法。
【請求項９】
ソフトウェアを具現する１以上の非一時的コンピュータ可読記憶媒体であって、前記ソフトウェアが実行されたとき、
通信ネットワークに送信されたデータのインターセプトをデフォルトのネットワーク・リソースによって検出する工程と、
検出された前記データのインターセプトに応答して、前記通信ネットワークがコンピューティング・デバイスのアプリケーションに関連付けられている特定のドメインによって管理されていることを決定する工程と、
前記通信ネットワークが前記コンピューティング・デバイスのアプリケーションに関連付けられている前記特定のドメインによって管理されているという前記決定に応答して、前記特定のドメインのネットワーク・リソースを識別する、前記通信ネットワークへのアクセスを求める要求を自動的に生成する工程であって、前記特定のドメインのネットワーク・リソースは、前記通信ネットワークの前記特定のドメインに対してユーザを認証するように構成される、工程と、
前記要求を、前記デフォルトのネットワーク・リソースから前記特定のドメインのネットワーク・リソースにリダイレクトする工程と、
を行わせる、媒体。
【請求項１０】
前記コンピューティング・デバイスは、ユーザのクライアント・デバイスであり、
前記デフォルトのネットワーク・リソースは、認証サーバを含み、
前記特定のドメインのネットワーク・リソースは、ソーシャル・ネットワーキング・システムの１以上のサーバ・コンピューティング・デバイスを含む、請求項９に記載の媒体。
【請求項１１】
前記要求をリダイレクトする工程が、前記通信ネットワークのルータによるユーザのキャプティブ・ネットワーク・サポートをバイパスする、請求項９に記載の媒体。
【請求項１２】
前記ルータは、Ｗｉ−Ｆｉアクセス・ポイントである、請求項１１に記載の媒体。
【請求項１３】
前記ソフトウェアは、前記ルータに関連付けられている地理的ロケーションにおいてユーザを自動的にチェックインさせる工程をさらに行わせる、請求項１１に記載の媒体。
【請求項１４】
前記通信ネットワークは、インターネットであり、
前記特定のドメインは、前記インターネットのセカンド・レベル・ドメイン（ＳＬＤ）である、
請求項９に記載の媒体。
【請求項１５】
前記ＳＬＤは、ＦＡＣＥＢＯＯＫである、請求項１４に記載の媒体。
【請求項１６】
デフォルトのネットワーク・リソースに送信された前記データは、前記コンピューティング・デバイスのアプリケーションと前記デフォルトのネットワーク・リソースとの間の
対話に対応する、請求項９に記載の媒体。
【請求項１７】
プロセッサと、
前記プロセッサに結合され、ソフトウェアを具現する１以上の非一時的コンピュータ可読記憶媒体と、
を備えるデバイスであって、前記ソフトウェアは、
通信ネットワークに送信されたデータのインターセプトをデフォルトのネットワーク・リソースによって検出する工程と、
検出された前記データのインターセプトに応答して、前記通信ネットワークがコンピューティング・デバイスのアプリケーションに関連付けられている特定のドメインによって管理されていることを決定する工程と、
前記通信ネットワークが前記コンピューティング・デバイスのアプリケーションに関連付けられている前記特定のドメインによって管理されているという前記決定に応答して、前記特定のドメインのネットワーク・リソースを識別する、前記通信ネットワークへのアクセスを求める要求を自動的に生成する工程であって、前記特定のドメインのネットワーク・リソースは、前記通信ネットワークの前記特定のドメインに対してユーザを認証するように構成される、工程と、
前記要求を、前記デフォルトのネットワーク・リソースから前記特定のドメインのネットワーク・リソースにリダイレクトする工程と、
を行わせる、デバイス。
【請求項１８】
前記コンピューティング・デバイスは、ユーザのクライアント・デバイスであり、
前記デフォルトのネットワーク・リソースは、認証サーバを含み、
前記特定のドメインのネットワーク・リソースは、ソーシャル・ネットワーキング・システムの１以上のサーバ・コンピューティング・デバイスを含む、請求項１７に記載のデバイス。
【請求項１９】
前記要求を送信する工程が、前記通信ネットワークのルータによるユーザのキャプティブ・ネットワーク・サポートをバイパスする、請求項１７に記載のデバイス。
【請求項２０】
前記ソフトウェアは、前記ルータに関連付けられている地理的ロケーションにおいてユーザを自動的にチェックインさせる工程をさらに行わせる、請求項１９に記載のデバイス。
【請求項２１】
前記ルータは、Ｗｉ−Ｆｉアクセス・ポイントである、請求項１９に記載のデバイス。
【請求項２２】
前記通信ネットワークは、インターネットであり、
前記特定のドメインは、前記インターネットのセカンド・レベル・ドメイン（ＳＬＤ）である、
請求項１７に記載のデバイス。
【請求項２３】
前記ＳＬＤは、ＦＡＣＥＢＯＯＫである、請求項２２に記載のデバイス。
【請求項２４】
インターセプトされた前記データは、前記コンピューティング・デバイスのアプリケーションと前記デフォルトのネットワーク・リソースとの間の対話に対応する、請求項１７に記載のデバイス。